(57)【要約】【課題】電子決済でレシートがない場合や、レジ袋に購入した商品が入っていない場合であっても、確かに購入したものとわかるようにする。【解決手段】レシートを発行しない電子決済をする場合、プリンター４は、受信した決済情報から携帯型情報媒体９のＩＤ６０６または買い物カゴ持参の情報を抽出できた場合、少なくとも決済情報の一部をラベルに印刷する。このラベルを顧客がレジ袋や持参したカゴ、購入した商品に貼っておけば、確かに購入したものであることが見てすぐわかる。【選択図】図２
2013127691.tif 000002
【特許請求の範囲】
【請求項１】
決済情報を生成する制御装置に接続可能な印刷装置であって、
第１印刷媒体に印刷可能な第１印刷部と、
第２印刷媒体に印刷可能な第２印刷部と、
前記第１印刷部と前記第２印刷部を制御する制御部とを備え、
前記制御部は、
前記制御装置から受信した前記決済情報に特定情報が含まれているか、または、前記制御装置から前記決済情報を受信した後に前記特定情報を受信したかを判断し、
前記決済情報に前記特定情報が含まれていなかったか、または、前記特定情報を受信しなかったと判断した場合、前記第１印刷部により前記第１印刷媒体に前記決済情報を印刷し、
前記決済情報に前記特定情報が含まれていたか、または、前記特定情報を受信したと判断した場合、前記第２印刷部により前記第２印刷媒体に少なくとも前記決済情報の一部または前記特定情報を印刷することを特徴とする印刷装置。
【請求項２】
前記特定情報を記憶する記憶部を備え、
前記制御部は、
前記記憶部に記憶された前記特定情報が、前記制御装置から受信した前記決済情報の中に含まれているか、または、前記制御装置から前記決済情報を受信した後に前記特定情報を受信したかを判断し、
前記特定情報が前記決済情報の中に含まれていなかったか、または、前記特定情報を受信しなかったと判断した場合、前記第１印刷部により前記第１印刷媒体に前記決済情報を印刷し、
前記特定情報が前記決済情報の中に含まれていたか、または、前記特定情報を受信したと判断した場合、前記第２印刷部により前記第２印刷媒体に少なくとも前記決済情報の一部または前記特定情報を印刷することを特徴とする請求項１に記載の印刷装置。
【請求項３】
決済情報を生成する制御装置に接続可能な印刷装置であって、
第１印刷媒体に印刷可能な第１印刷部と、
第２印刷媒体に印刷可能な第２印刷部と、
前記第１印刷部と前記第２印刷部を制御する制御部とを備え、
前記制御部は、
前記制御装置から受信した前記決済情報を前記第１印刷部により前記第１印刷媒体に印刷し、
前記制御装置から受信した前記決済情報に特定情報が含まれているか、または、前記制御装置から前記決済情報を受信した後に前記特定情報を受信したかを判断し、
前記決済情報に前記特定情報が含まれていたか、または、前記特定情報を受信したと判断した場合、前記第２印刷部により前記第２印刷媒体に少なくとも前記決済情報の一部または前記特定情報を印刷することを特徴とする印刷装置。
【請求項４】
決済情報を生成する制御装置と金銭収納装置に接続可能な印刷装置であって、
第１印刷媒体に印刷可能な第１印刷部と、
第２印刷媒体に印刷可能な第２印刷部と、
前記第１印刷部と前記第２印刷部を制御する制御部とを備え、
前記制御部は、
前記決済情報を受信した後、前記制御装置からの前記金銭収納装置に対するコマンドの受信の有無を判断し、
前記コマンドを受信したと判断した場合、前記第１印刷部により前記第１印刷媒体に前記決済情報を印刷し、前記コマンドに基づき前記金銭収納装置に前記金銭収納装置の駆動部を駆動する信号を送信し、
前記コマンドを受信しなかったと判断した場合、前記第２印刷部により前記第２印刷媒体に少なくとも前記決済情報の一部の印刷をすることを特徴とする印刷装置。
【請求項５】
第１印刷媒体に印刷可能な第１印刷部と、
第２印刷媒体に印刷可能な第２印刷部と、を備え、
決済情報を生成する制御装置に接続可能な印刷装置の制御方法であって、
前記制御装置から受信した前記決済情報に特定情報が含まれているか、または、前記制御装置から前記決済情報を受信した後に前記特定情報を受信したかを判断し、
前記決済情報に前記特定情報が含まれていなかったか、または、前記特定情報を受信しなかったと判断した場合、前記第１印刷部により前記第１印刷媒体に前記決済情報を印刷し、
前記決済情報に前記特定情報が含まれていたか、前記特定情報を受信したと判断した場合、前記第２印刷部により前記第２印刷媒体に少なくとも前記決済情報の一部または前記特定情報を印刷することを特徴とする印刷装置の制御方法。
【請求項６】
前記印刷装置は、前記特定情報を記憶する記憶部、を備え、
前記記憶部に記憶された前記特定情報が、前記制御装置から受信した前記決済情報の中に含まれているか、または、前記制御装置から前記決済情報を受信した後に前記特定情報を受信したかを判断し、
前記特定情報が前記決済情報の中に含まれていなかった、または、前記特定情報を受信しなかったと判断した場合、前記第１印刷部により前記第１印刷媒体に前記決済情報を印刷し、
前記特定情報が前記決済情報の中に含まれていたか、または、前記特定情報を受信したと判断した場合、前記第２印刷部により前記第２印刷媒体に少なくとも前記決済情報の一部または前記特定情報を印刷することを特徴とする請求項５に記載の印刷装置の制御方法。
【請求項７】
第１印刷媒体に印刷可能な第１印刷部と、
第２印刷媒体に印刷可能な第２印刷部と、を備え、
決済情報を生成する制御装置に接続可能な印刷装置の制御方法であって、
前記制御装置から受信した前記決済情報を前記第１印刷部により前記第１印刷媒体に印刷し、
前記制御装置から受信した前記決済情報に特定情報が含まれているか、または、前記制御装置から前記決済情報を受信した後に前記特定情報を受信したかを判断し、
前記決済情報に前記特定情報が含まれていたか、または、前記特定情報を受信したと判断した場合、前記第２印刷部により前記第２印刷媒体に少なくとも前記決済情報の一部または前記特定情報を印刷することを特徴とする印刷装置の制御方法。
【請求項８】
第１印刷媒体に印刷可能な第１印刷部と、
第２印刷媒体に印刷可能な第２印刷部と、を備え、
決済情報を生成する制御装置と金銭収納装置に接続可能な印刷装置の制御方法であって、
前記決済情報を受信した後、前記制御装置からの前記金銭収納装置に対するコマンドの受信の有無を判断し、
前記コマンドを受信したと判断した場合、前記第１印刷部により前記第１印刷媒体に前記決済情報を印刷し、前記コマンドに基づき前記金銭収納装置に前記金銭収納装置の駆動部を駆動する信号を送信し、
前記コマンドを受信しなかったと判断した場合、前記第２印刷部により前記第２印刷媒体に少なくとも前記決済情報の一部の印刷をすることを特徴とする印刷装置の制御方法。
【請求項９】
商品情報入力部と、
携帯型情報媒体の読み込み可能な読取部を有する制御装置と、
第１印刷媒体に印刷可能な第１印刷部と第２印刷媒体に印刷可能な第２印刷部を有する印刷装置と、を備えたＰＯＳシステムであって、
前記制御装置は、
前記商品情報入力部から商品情報を取得して決済情報を生成し、
前記読取部により前記携帯型情報媒体が読み取り可能だった場合は特定情報を生成し、
前記特定情報を生成しなかった場合は、前記決済情報を前記印刷装置へ送信し、
前記特定情報を生成した場合は、前記決済情報に前記特定情報を含めて前記印刷装置へ送信するか、または、前記決済情報を前記印刷装置へ送信した後、前記特定情報を送信し、
前記印刷装置は、
前記制御装置から受信した前記決済情報に前記特定情報が含まれているか、または、前記制御装置から前記決済情報を受信した後に前記特定情報を受信したかを判断し、
前記決済情報に前記特定情報が含まれていなかったか、または、前記特定情報を受信しなかったと判断した場合、前記第１印刷部により前記第１印刷媒体に前記決済情報を印刷し、
前記決済情報に前記特定情報が含まれていたか、または、前記特定情報を受信したと判断した場合、前記第２印刷部により前記第２印刷媒体に少なくとも前記決済情報の一部または前記特定情報を印刷することを特徴とするＰＯＳシステム。
【発明の詳細な説明】
【技術分野】
【０００１】
本発明は、印刷装置、印刷装置の制御方法、及びＰＯＳシステムに関する。
【背景技術】
【０００２】
従来、ＰＯＳ（point of sales）端末やセルフレジ等の制御装置は、備えられているバーコードを読むスキャナー（リーダー）により商品に貼付されているバーコードを読み取り、商品マスターを参照してバーコードに対応する商品名や価格等を読み出し、合計や預り金、お釣り等を含む決済情報を生成し、印刷装置に送信する。印刷装置は、決済情報を受信して印刷部でレシートを印刷する。顧客はレシートを受け取って支払いの証拠とし、また返品の際の証明としている。
【０００３】
近年、レシートを発行しない販売形態が出現している。例えば、レシートを発行しない形態として、電子決済や一品だけ購入する場合がある。決済機能付きの携帯電話や決済機能付きのカードなどの携帯型情報媒体でいわゆる電子決済をする場合、制御装置とそれら決済機能付きの携帯型情報媒体との間で、決済情報の送受信と金銭授受情報の送受信が行われる。このとき、これらの情報は携帯型情報媒体に記憶され画面で確認できるので、レシートの発行はされないことがある。レシートが発行されない場合は、店舗側では、顧客が本当に支払いをしたのか客観的にわかり難く、店舗内で不正が行われても防止し難い。
【０００４】
特に、買い物カゴを持参し、レジ袋を不要とする顧客に対しては、持参した買い物カゴの中の商品が購入済みなのか、客観的にわかり難い。また、レジ袋に入らない商品は、購入の際、店舗のロゴが入ったテープを貼っているが、本当に購入されたものか、客観的にわかり難い。
そのため、不正を防止するため、リーダーを用い、購入証明を印刷したラベル状のレシートシールを発行し、購入商品に貼付する方法が提案されている（例えば、特許文献１参照）。
【先行技術文献】
【特許文献】
【０００５】
【特許文献１】特開２００５−２９３０２３号公報
【発明の概要】
【発明が解決しようとする課題】
【０００６】
しかし、この方法では、オペレーターが状況を判断してリーダーのボタンを操作してラベルを発行することになり、オペレーターのミス等が発生し易く、不正を防止するのに完全ではない。特にセルフチェックレジでは、オペレーターが介在していなく、このような特殊な作業を顧客が正しく行うことは期待できない。また、全品に一つ一つレシートシールを発行して貼ることは、作業効率の低下を招く。
【課題を解決するための手段】
【０００７】
本発明は、上述の課題の少なくとも一部を解決するためになされたものであり、以下の形態または適用例として実現することが可能である。
【０００８】
（適用例１）決済情報を生成する制御装置に接続可能な印刷装置であって、第１印刷媒体に印刷可能な第１印刷部と、第２印刷媒体に印刷可能な第２印刷部と、前記第１印刷部と前記第２印刷部を制御する制御部とを備え、前記制御部は、前記制御装置から受信した前記決済情報に特定情報が含まれているか、または、前記制御装置から前記決済情報を受信した後に前記特定情報を受信したかを判断し、前記決済情報に前記特定情報が含まれていなかったか、または、前記特定情報を受信しなかったと判断した場合、前記第１印刷部により前記第１印刷媒体に前記決済情報を印刷し、前記決済情報に前記特定情報が含まれていたか、または、前記特定情報を受信したと判断した場合、前記第２印刷部により前記第２印刷媒体に少なくとも前記決済情報の一部または前記特定情報を印刷することを特徴とする印刷装置。
【０００９】
ＰＯＳ端末やセルフレジ等の制御装置は、備えられているスキャナーにより商品に貼付されているバーコードを読み取り、商品マスターを参照してバーコードに対応する商品名や価格等を取得し、支払い合計や預り金、お釣り等を含む決済情報を生成し、印刷装置に送信する。制御装置に接続された印刷装置は、決済情報を受信して印刷部でレシートを印刷する。顧客はレシートを受け取って支払いの証拠とし、また返品の際の証明とする。
【００１０】
決済機能付きの携帯電話や決済機能付きのカードなどの携帯型情報媒体でいわゆる電子決済をする場合、制御装置とそれら決済機能付きの携帯型情報媒体との間で、決済情報の送受信と金銭授受情報の送受信が行われる。このとき、決済情報等は携帯型情報媒体に記憶されるので、レシートの発行は必ずしも必要ではなく発行されないことがある。この場合、店舗側では、顧客がレシートを所持していないので、正しく購入されたものか、客観的にわかり難い。特に、オペレーターがいないセルフレジで顧客が決済処理をした場合、本当に支払いをしたのか客観的にわかり難い。さらに、顧客は支払いの証明を求められた場合、携帯型情報媒体から該当する情報を探し出して表示しなくてはならない。また、オペレーターがいるＰＯＳ端末でも、レシートがないと、買った商品の返品の際、顧客の携帯型情報媒体から該当する情報を探し出して処理しなければならず、手間が掛かる。
【００１１】
上述の構成によれば、印刷装置は、携帯電話やカードによる認証や支払いに関する情報など、制御装置から電子決済をした旨の情報を含む特定情報を、決済情報と共にまたは決済情報の後に受信すると電子決済したものと判断できる。電子決済だと判断した場合、決済情報に含まれる決済番号や決済日時等、電子決済に関する特定情報を、第２印刷部によりラベルなどの第２印刷媒体に印刷をすることができる。このラベルを商品やレジ袋に貼っておけば、支払い済みであることが客観的にすぐにわかる。また、オペレーターやセルフレジの顧客は、ラベルを発行するものか、判断する必要がなく、ミスが起きない。
【００１２】
また返品の際も、このラベルに印刷された決済番号等の決済情報や特定情報から容易にＰＯＳ端末等に記憶した決済情報を特定でき、早く確実な処理ができる。この場合、ラベルに決済番号等をバーコードや２次元コードで印刷しておけば、ＰＯＳ端末のスキャナーで読み込むことができるので、さらに処理が容易となる。一方、印刷装置は、制御装置から特定情報を受信しなかった場合は現金決済だと判断でき、ロール紙などの第１印刷媒体に対し第１印刷部によりレシートを発行する。レシートにより、購入や返品の証明が可能である。また、制御装置は、レシートを作成するための決済情報や特定情報を印刷装置へ送信するだけで済む。
【００１３】
（適用例２）前記特定情報を記憶する記憶部を備え、前記制御部は、前記記憶部に記憶された前記特定情報が、前記制御装置から受信した前記決済情報の中に含まれているか、または、前記制御装置から前記決済情報を受信した後に前記特定情報を受信したかを判断し、前記特定情報が前記決済情報の中に含まれていなかったか、または、前記特定情報を受信しなかったと判断した場合、前記第１印刷部により前記第１印刷媒体に前記決済情報を印刷し、前記特定情報が前記決済情報の中に含まれていたか、または、前記特定情報を受信したと判断した場合、前記第２印刷部により前記第２印刷媒体に少なくとも前記決済情報の一部または前記特定情報を印刷することを特徴とする上述の印刷装置。
【００１４】
上述の構成によれば、特定情報は、例えばレジ袋の入らない大きさの商品や、別の袋に入れられるチケット等のレジ袋を使用しない商品などを特定する情報、例えば商品名や商品コードとすることができる。これらの情報を記憶部に記憶しておき、該当する商品が購入されてその商品を特定する情報が制御装置から受信した決済情報の中に含まれているか、または受信したか判断し、含まれている場合や受信した場合、決済番号や決済日時等の決済情報の少なくとも一部や特定情報を、ラベルなどの第２印刷媒体に印刷をすることができる。
【００１５】
このラベルを支払い済みの商品に貼っておけば、支払い済みであることが客観的にすぐにわかる。従来は、例えば店舗のロゴの入ったテープなどを商品に貼っていたが、これでは確実に購入したものなのかわからない。この構成によれば、支払済みであることを示す決済情報や特定情報が印刷されたラベルにより確実に購入したものとわかる。
また、制御装置側は、レシートを作成するための決済情報や特定情報を印刷装置へ送信するだけで済む。
【００１６】
（適用例３）決済情報を生成する制御装置に接続可能な印刷装置であって、第１印刷媒体に印刷可能な第１印刷部と、第２印刷媒体に印刷可能な第２印刷部と、前記第１印刷部と前記第２印刷部を制御する制御部とを備え、前記制御部は、前記制御装置から受信した前記決済情報を前記第１印刷部により前記第１印刷媒体に印刷し、前記制御装置から受信した前記決済情報に特定情報が含まれているか、または、前記制御装置から前記決済情報を受信した後に前記特定情報を受信したかを判断し、前記決済情報に前記特定情報が含まれていたか、または、前記特定情報を受信したと判断した場合、前記第２印刷部により前記第２印刷媒体に少なくとも前記決済情報の一部または前記特定情報を印刷することを特徴とする印刷装置。
【００１７】
上述の構成によれば、制御装置からレジ袋を持参またはレジ袋を不要とする旨の情報を含む特定情報を受信すると、第１印刷媒体にレシートを発行すると共に、決済情報に含まれる決済番号や決済日時等の決済情報の少なくとも一部または特定情報を、ラベルなどの第２印刷媒体に印刷をする。このラベルを支払い済みの商品や持参した買い物カゴや買い物袋、商品に貼っておけば、支払い済みであることが客観的にすぐにわかる。この特定情報は、レジ袋を不要とする情報のほか、レジ袋不要とした顧客へポイント等の加算や割引等のインセンティブな情報を含むものであってもよい。これらの加算や割引などに伴う数字や記号等で特定ができる。
また、制御装置側は、通常の現金決済の場合と同じくレシートを作成するための決済情報を生成し、特定情報を付加して印刷装置へ送信するだけで済む。
【００１８】
（適用例４）決済情報を生成する制御装置と金銭収納装置に接続可能な印刷装置であって、第１印刷媒体に印刷可能な第１印刷部と、第２印刷媒体に印刷可能な第２印刷部と、前記第１印刷部と前記第２印刷部を制御する制御部とを備え、前記制御部は、前記決済情報を受信した後、前記制御装置からの前記金銭収納装置に対するコマンドの受信の有無を判断し、前記コマンドを受信したと判断した場合、前記第１印刷部により前記第１印刷媒体に前記決済情報を印刷し、前記コマンドに基づき前記金銭収納装置に前記金銭収納装置の駆動部を駆動する信号を送信し、前記コマンドを受信しなかったと判断した場合、前記第２印刷部により前記第２印刷媒体に少なくとも前記決済情報の一部の印刷をすることを特徴とする印刷装置。
【００１９】
上述の構成によれば、電子決済でなく現金決済をした場合に金銭の受け渡しを伴うので、制御装置からドロワーなどの金銭収納装置の開閉部を駆動するためコマンドを印刷装置に送信することを利用することができる。印刷装置がこのコマンドを受信した場合、現金決済するものと判断でき、ドロワーの開閉部を開くようにドロワーの駆動部を駆動する信号を送ると共に第１印刷媒体にレシートを印刷する。コマンドを受信しなかった場合は電子決済だと判断でき、第１印刷媒体にレシートを発行せず、少なくとも決済情報に含まれる決済番号や決済日時等を、ラベルなどの第２印刷媒体に印刷をし、証明用とすることができる。
また、印刷装置側の対応のみで実現できるので、制御装置側は変更なしで済む。
【００２０】
（適用例５）第１印刷媒体に印刷可能な第１印刷部と、第２印刷媒体に印刷可能な第２印刷部と、を備え、決済情報を生成する制御装置に接続可能な印刷装置の制御方法であって、前記制御装置から受信した前記決済情報に特定情報が含まれているか、または、前記制御装置から前記決済情報を受信した後に前記特定情報を受信したかを判断し、前記決済情報に前記特定情報が含まれていなかったか、または、前記特定情報を受信しなかったと判断した場合、前記第１印刷部により前記第１印刷媒体に前記決済情報を印刷し、前記決済情報に前記特定情報が含まれていたか、前記特定情報を受信したと判断した場合、前記第２印刷部により前記第２印刷媒体に少なくとも前記決済情報の一部または前記特定情報を印刷することを特徴とする印刷装置の制御方法。
【００２１】
（適用例６）前記印刷装置は、前記特定情報を記憶する記憶部、を備え、前記記憶部に記憶された前記特定情報が、前記制御装置から受信した前記決済情報の中に含まれているか、または、前記制御装置から前記決済情報を受信した後に前記特定情報を受信したかを判断し、前記特定情報が前記決済情報の中に含まれていなかった、または、前記特定情報を受信しなかったと判断した場合、前記第１印刷部により前記第１印刷媒体に前記決済情報を印刷し、前記特定情報が前記決済情報の中に含まれていたか、または、前記特定情報を受信したと判断した場合、前記第２印刷部により前記第２印刷媒体に少なくとも前記決済情報の一部または前記特定情報を印刷することを特徴とする上述の印刷装置の制御方法。
【００２２】
（適用例７）第１印刷媒体に印刷可能な第１印刷部と、第２印刷媒体に印刷可能な第２印刷部と、を備え、決済情報を生成する制御装置に接続可能な印刷装置の制御方法であって、前記制御装置から受信した前記決済情報を前記第１印刷部により前記第１印刷媒体に印刷し、前記制御装置から受信した前記決済情報に特定情報が含まれているか、または、前記制御装置から前記決済情報を受信した後に前記特定情報を受信したかを判断し、前記決済情報に前記特定情報が含まれていたか、または、前記特定情報を受信したと判断した場合、前記第２印刷部により前記第２印刷媒体に少なくとも前記決済情報の一部または前記特定情報を印刷することを特徴とする印刷装置の制御方法。
【００２３】
（適用例８）第１印刷媒体に印刷可能な第１印刷部と、第２印刷媒体に印刷可能な第２印刷部と、を備え、決済情報を生成する制御装置と金銭収納装置に接続可能な印刷装置の制御方法であって、前記決済情報を受信した後、前記制御装置からの前記金銭収納装置に対するコマンドの受信の有無を判断し、前記コマンドを受信したと判断した場合、前記第１印刷部により前記第１印刷媒体に前記決済情報を印刷し、前記コマンドに基づき前記金銭収納装置に前記金銭収納装置の駆動部を駆動する信号を送信し、前記コマンドを受信しなかったと判断した場合、前記第２印刷部により前記第２印刷媒体に少なくとも前記決済情報の一部の印刷をすることを特徴とする印刷装置の制御方法。
【００２４】
（適用例９）商品情報入力部と、携帯型情報媒体の読み込み可能な読取部を有する制御装置と、第１印刷媒体に印刷可能な第１印刷部と第２印刷媒体に印刷可能な第２印刷部を有する印刷装置と、を備えたＰＯＳシステムであって、前記制御装置は、前記商品情報入力部から商品情報を取得して決済情報を生成し、前記読取部により前記携帯型情報媒体が読み取り可能だった場合は特定情報を生成し、前記特定情報を生成しなかった場合は、前記決済情報を前記印刷装置へ送信し、前記特定情報を生成した場合は、前記決済情報に前記特定情報を含めて前記印刷装置へ送信するか、または、前記決済情報を前記印刷装置へ送信した後、前記特定情報を送信し、前記印刷装置は、前記制御装置から受信した前記決済情報に前記特定情報が含まれているか、または、前記制御装置から前記決済情報を受信した後に前記特定情報を受信したかを判断し、前記決済情報に前記特定情報が含まれていなかったか、または、前記特定情報を受信しなかったと判断した場合、前記第１印刷部により前記第１印刷媒体に前記決済情報を印刷し、前記決済情報に前記特定情報が含まれていたか、または、前記特定情報を受信したと判断した場合、前記第２印刷部により前記第２印刷媒体に少なくとも前記決済情報の一部または前記特定情報を印刷することを特徴とするＰＯＳシステム。
【００２５】
上述の発明のＰＯＳシステムを構成する制御装置はＰＯＳ端末やセルフレジの制御装置であり、決済機能付きの携帯電話や決済機能付きのカード、或いは読取可能なＩＣやバーコード、磁気ストライプなどにより情報を担持するカード等の携帯型情報媒体を電磁的手段や光学的手段で読み込み可能な読取部を備えている。
制御装置は、備えられているバーコードスキャナー等の商品情報入力部により商品に貼付されているバーコードを入力し、記憶している商品マスターまたはネットワークで接続されているサーバーの商品マスターを参照して入力したバーコードに対応する商品名や価格等を読出し、支払い合計や預り金、お釣り等を含む決済情報を生成する。この際、制御装置は、読取部により携帯型情報媒体が読み取り可能だった場合は電子決済を行い、電子決済に関わる特定情報を生成する。
【００２６】
上述の発明のＰＯＳシステムを構成する印刷装置は、携帯電話やカードによる認証や支払いに関する情報など、制御装置から電子決済をした旨の情報を含む特定情報を決済情報と共にまたは決済情報の後に受信すると電子決済したと判断できる。電子決済の場合、ロール紙などの第１印刷媒体に対し第１印刷部によりレシートを必ずしも発行しなくてよい。この場合、決済情報に含まれる決済番号または決済日時等や特定情報を、ラベルなどの第２印刷媒体に第２印刷部により印刷をする。このラベルを商品やレジ袋に貼っておけば、支払い済みであることが客観的にすぐにわかる。また返品の際、このラベルに印刷された決済番号等から容易に制御装置に記憶した決済情報が特定でき、処理ができる。この場合、ラベルに決済番号等をバーコードや２次元コードで印刷しておけば、ＰＯＳ端末のスキャナーで読み込むことができるので、さらに処理が容易となる。
【００２７】
一方、印刷装置は、制御装置から特定情報を受信しなかった場合、または決済情報に特定情報が含まれていなかった場合は、現金決済だと判断でき、ロール紙などの第１印刷媒体に対し第１印刷部によりレシートを発行する。顧客は、レシートで証明が可能である。
制御装置側は、決済情報を生成し、決済情報または特定情報を印刷装置へ送信するだけで済む。
【図面の簡単な説明】
【００２８】
【図１】実施形態に係るＰＯＳシステムの概要図。
【図２】実施形態に係る印刷装置を示す図。
【図３】電子決済時に発行するレシート情報とラベルの例を示す図。
【図４】買い物カゴ持参時に発行するレシートとラベルの例を示す図。
【図５】特定商品購入時に発行するレシートとラベルの例を示す図。
【図６】制御装置の処理手順を表すフローチャート。
【図７】電子決済時の印刷装置のフローチャート。
【図８】買い物カゴ持参時の印刷装置のフローチャート。
【図９】特定商品購入時の印刷装置のフローチャート。
【発明を実施するための形態】
【００２９】
（第１実施形態）
以下、第１実施形態について図面を参照して説明する。なお、以下の説明で参照する図面では、説明および図示の便宜上、省略している部分があり、実際のものとは異なるように表す場合がある。
【００３０】
（ＰＯＳシステム８の全体構成について）
まず、ＰＯＳシステム８の全体構成について、図１を参照して説明する。図１はＰＯＳシステムの概要図である。なお、図１では、ＰＯＳ端末１やセルフレジ２がネットワーク５で接続されているが、それぞれスタンドアローンで設置されていてもよい。
【００３１】
図１に示すように、ＰＯＳシステム８は店舗等に設置されるものであり、ＰＯＳ端末１と、セルフレジ２、サーバー３がネットワーク５で接続されて構成されている。
ＰＯＳ端末１について説明する。ＰＯＳ端末１は、コンピューター１０１（制御装置）により統括制御されている。コンピューター１０１では、商品に貼付されているバーコードをスキャナー１０３で読み取って、その情報をサーバー３に送り、サーバー３は備えられているデータベースである商品マスターを参照し、バーコードの情報に対応した商品名、価格などの商品情報を返す。そして、コンピューター１０１は内部のメモリーに、商品情報を記憶する。スタンドアローンで設置されている場合は、コンピューター１０１内のハードディスクなどのメモリーに商品マスターを備えている。
【００３２】
このようにして、オペレーターは顧客が購入する全ての商品のバーコードの読み取りを行う。読み取りが終了すると、オペレーターはコンピューター１０１のキーボードの合計の計算を示すキーを押す。コンピューター１０１はメモリーから全ての商品情報を読み出して合計の金額を計算し、請求額としてディスプレイ等で顧客に提示する。
【００３３】
顧客が提示された請求額に対し現金で支払った場合、オペレーターはコンピューター１０１のキーボードから預り金を入力する。コンピューター１０１は、お釣りを計算し、商品名と価格、合計、預り金、お釣りを含む決済情報を生成し、店舗のロゴ情報と共にプリンター４に送信する。プリンター４（印刷装置）は決済情報やロゴ情報を受信してレシート印刷部４１０からレシートとして発行する。
【００３４】
また、オペレーターがキーボードのドロワー用のキーを押すと、コンピューター１０１はドロワー用のコマンドを生成し、プリンター４に送信する。プリンター４はドロワー１０２（金銭収納装置）に接続されていて、ドロワー１０２を駆動する信号を発生する回路を備えている。ドロワー用のコマンドを受信すると、ドロワー１０２を駆動する信号を発生し、接続されているドロワー１０２に送信する。ドロワー１０２は信号に基づきプランジャーを駆動して金銭が入っている箱を押し出して開く。オペレーターは、ドロワー１０２により金銭の授受を行い、箱を閉め、レシートとお釣りを顧客へ渡す。
【００３５】
顧客がいわゆるお財布携帯電話や電子決済用カードなどの携帯型情報媒体９で支払う場合、コンピューター１０１に接続されている読取装置１０４に携帯型情報媒体９を置く。コンピューター１０１は、読取装置１０４を介して携帯型情報媒体９と無線などにより通信を行ってＩＤ等を取得し、サーバー３が備える信用照会情報のデータベースに問い合わせて当該携帯型情報媒体９の認証を行い、認証できた場合は携帯型情報媒体９に決済情報を送信し、携帯型情報媒体９から支払い了承の旨の情報を受信する。スタンドアローンで設置されている場合は、インターネットなどで外部の信用照会情報のデータベースに問い合わせて当該携帯型情報媒体９の認証を行う。
【００３６】
電子決済された場合、決済情報は携帯型情報媒体９に記憶されるので、ＰＯＳ端末１ではレシートの発行は行わず、また金銭の授受もないのでドロワー１０２を開くためのコマンドも送らない。
【００３７】
次に、顧客がセルフレジ２を使用する場合について説明する。セルフレジ２は、オペレーターが介在せず、顧客が自分で商品情報を入力し、提示する請求額を支払って決済するレジスターである。
【００３８】
セルフレジ２は、コンピューター２０１（制御装置）により統括制御されている。顧客は、買い物カゴから商品を取り出し、商品に貼付されているバーコードをスキャナー２０３にかざして読み取らせ、その後レジ袋などへ入れる。コンピューター２０１は、スキャナー２０３が読み取ったバーコードの情報をサーバー３に送り、サーバー３は備えられているデータベースである商品マスターを参照し、バーコードの情報に対応した商品名、価格などの商品情報をコンピューター２０１に返す。コンピューター２０１は、受信した商品情報をメモリーに記憶する。スタンドアローンで設置されている場合は、コンピューター２０１内のハードディスクなどのメモリーに商品マスターを備えている。
【００３９】
このようにして、顧客が購入しようとする全ての商品のバーコードの読み取りが終了すると、顧客はコンピューター２０１のキーボードの合計の計算または入力終了を示すキーを押す。コンピューター２０１はメモリーから全ての商品情報を読み出して合計の金額を計算し、ディスプレイ等で顧客に提示する。
【００４０】
顧客が現金で支払う場合、顧客はドロワー２０２（金銭収納装置）に支払い金を入れる。ドロワー（金銭授受部）２０２は支払い金を数えて、預り金情報をコンピューター２０１に送り、コンピューター２０１はお釣りを計算し、商品名と価格、合計、預り金、お釣りを含む決済情報を生成し、店舗のロゴ情報と共にプリンター４に送信する。プリンター４は決済情報やロゴ情報を受信してレシート印刷部４１０からレシートとして発行する。コンピューター２０１はドロワー２０２にお釣り情報を送り、ドロワー２０２は金銭を数えてお釣りを出す。
【００４１】
顧客がいわゆるお財布携帯電話や電子決済用カードなど決済機能が付いた携帯型情報媒体９で支払う場合、コンピューター２０１に接続されている読取装置２０４に携帯型情報媒体９を置く。コンピューター２０１は、読取装置２０４を介して携帯型情報媒体９と通信を行ってＩＤ等を取得し、サーバー３が備える信用照会情報のデータベースに問い合わせて当該携帯型情報媒体９の認証を行い、認証できた場合は携帯型情報媒体９に決済情報を送信し、携帯型情報媒体９から支払い了承の旨の情報を受信する。スタンドアローンで設置されている場合は、インターネットなどで外部の信用照会情報のデータベースに問い合わせて当該携帯型情報媒体９の認証を行う。
電子決済をした場合、決済情報は携帯型情報媒体９に記憶されるので、セルフレジ２側ではレシートの発行は行わず、また金銭の授受もないのでドロワー２０２を使用することもしない。
【００４２】
（プリンター４の構成について）
ここで、ＰＯＳ端末１とセルフレジ２で使用されるプリンター４について図２を参照して説明する。図２は、本実施形態に係る印刷装置（プリンター４）を示す図である。なお、プリンター４がＰＯＳ端末１に接続された場合を例とする。
【００４３】
プリンター４は、レシートを発行するレシート印刷部４１０（第１印刷部）と、ラベルを発行するラベル印刷部４２０（第２印刷部）を備えている。
プリンター４は、インターフェイス４３２を経由してコンピューター１０１に接続されている。ＣＰＵ４３０（制御部）は、コンピューター１０１からロゴ情報や決済情報をインターフェイス４３２を介して受信する。レシート印刷部４１０では、プラテン４１２を駆動してロール紙４１４から感熱紙４１５（第１印刷媒体）を搬送し、決済情報やロゴ情報をヘッド４１１により印刷し、排出口４１３から排出し、レシートとして発行する。また、ロゴ情報はメモリー４３１に記憶しておき、決済情報と共に印刷してもよい。
【００４４】
ラベル印刷部４２０では、プラテン４２２を駆動してロール紙４２４から台紙４２５に貼付されている感熱ラベル４２６（第２印刷媒体）を搬送し、ヘッド４２１により決済情報の少なくとも一部または特定情報を印刷し、排出口４２３から排出し、ラベルとして発行する。
【００４５】
ドロワー駆動部４３３は、ケーブルを介してドロワー１０２に接続されている。現金決済の場合、コンピューター１０１からドロワー用のコマンドが送られ、ＣＰＵ４３０は、インターフェイス４３２を介してこのコマンドを受信すると、ドロワー駆動部４３３でドロワー駆動信号を発生させ、ドロワー１０２に送信する。ドロワー１０２は、ドロワー駆動信号により内部のプランジャーを駆動して金銭の入っている箱をロックしているフックを外し、ロックにより圧縮されていたばねが伸張して箱を押して開く。
【００４６】
（発行するレシートとラベルについて）
ここで、ＰＯＳ端末１とセルフレジ２において、プリンター４で発行するレシートとラベル（感熱ラベル４２６）について、図３〜図５を参照して説明する。図３は、電子決済時に発行するレシート情報とラベルの例を示す図であり、図４は、買い物カゴ持参時に発行するレシートとラベルの例を示す図である。図５は、特定商品購入時に発行するレシートとラベルの例を示す図である。なお、ＰＯＳ端末１およびセルフレジ２においてどちらも同じ構成となるので、ＰＯＳ端末１で使用されるプリンター４を例として説明する。
【００４７】
（電子決済時に発行するラベルについて）
顧客が携帯型情報媒体９で決済する場合、すなわち電子決済時において、読取装置１０４を介して携帯型情報媒体９と通信を行ってＩＤ等を取得し、サーバー３が備える信用照会情報のデータベースに問い合わせて当該携帯型情報媒体９の認証を行い、認証できた場合、携帯型情報媒体９に決済情報を送って決済を行う。決済情報は携帯型情報媒体９に記憶されるので、ＰＯＳ端末１ではレシートの発行は行わない。
【００４８】
この場合、顧客はレシートを所持していないので、店舗側からは本当に決済をしたかどうか、すぐにはわからない。店舗側が、顧客から携帯型情報媒体９に記憶された決済情報の提示を要求することは、不正を疑っているようで難しい。そこで、決済情報の少なくとも一部をプリンター４でラベルとして発行し、顧客がレジ袋や購入した商品に貼っておけば、確かに購入したものであることがすぐわかる。
【００４９】
図３に示すように、ラベル６００は、携帯型情報媒体９のＩＤ６０６を追加した決済情報（レシート情報）を発行したものである。ラベル６００では、店舗のロゴ６０１、日付６０２、発行番号６０３、商品名６０４とその価格、購入した金額の合計６０５、携帯型情報媒体９のＩＤ６０６（特定情報）が受信され印刷されている。これらは、コンピューター１０１で生成してプリンター４に送信され、ラベル印刷部４２０で発行される。ラベル６００だと詳細の情報が印刷されているので、確かに購入したことがすぐにわかる。しかし、レジ袋が小さい場合などでは、ラベル７００のようにしてもよい。
【００５０】
プリンター４は、受信した決済情報から携帯型情報媒体９のＩＤ６０６を抽出してラベル７００として発行する。または、コンピューター１０１が決済情報の後にＩＤ６０６を送った場合、プリンター４は決済情報とは別に受信したＩＤ６０６または決済情報の少なくとも一部をラベル７００に印刷して発行してもよい。少なくとも、ラベル７００のＩＤ７０６が印刷されていれば、電子決済されたことがわかる。ＩＤ７０６のみ印刷するので、他の人に知られたくない購入情報を隠すこともできる。
【００５１】
このように、ラベル７００に少なくともＩＤ７０６を印刷してレジ袋や商品に貼ると、電子決済されてものとすぐにわかる。プリンター４では、受信した決済情報からＩＤ６０６を示す情報である「＊＊」を抽出したら、ラベル６００またはラベル７００を発行するものと判断する。また、プリンター４では、決済情報に続き、所定の時間内にドロワー用のコマンドを受信しなかった場合は、電子決済であると判断することもできる。ラベル６００とラベル７００のいずれかを発行するかは、プリンター４のディップスイッチやコンピューター１０１からのコマンドで設定することもできる。
【００５２】
（買い物カゴ持参時に発行するレシートとラベルについて）
次いで、顧客が買い物カゴを持参した場合、すなわち、レジ袋を不要とした顧客に対し発行するラベル６１０、７１０について図４を参照して説明する。
【００５３】
レジ袋が不要の場合、買い物ポイントの付加や請求金額の割引を行う。これらは、オペレーターがコンピューター１０１のキーボードを操作するか、或いは、レジ袋不要のカードに記載されているバーコードをスキャナー１０３で読み取ることにより、決済情報に含めて生成し、プリンター４へ送信する。
【００５４】
図４に示すように、ラベル６１０では、店舗のロゴ６０１、日付６０２、発行番号６１３、商品名６１４とその価格、購入した金額の小計６１６、買い物カゴによる割引６１７、小計６１６から割引６１７を引いた合計６１５、加算したポイント６１８が受信され印刷されている。これらは、コンピューター１０１で生成してプリンター４に送信され、ラベル印刷部４２０で発行される。ラベル６１０だと詳細の情報が印刷されているので、確かに購入したことがすぐにわかる。しかし、レジ袋が小さい場合などでは、ラベル７１０のようにしてもよい。また、ラベル６１０の情報をレシート情報としてレシート印刷部４１０で印刷し、レシートとして発行することもできる。
【００５５】
プリンター４は、受信した決済情報から日付７１２を抽出してラベル７１０として発行する。少なくとも、日付７１２が印刷されていれば、その年月日に決済されたことがわかる。日付７１２のみの印刷なので、他の人に知られたくない購入情報を隠すこともできる。このように、ラベル７１０に少なくとも日付７１２を印刷して持参した袋や買い物カゴ、商品に貼ると、その年月日に決済されたことがわかる。プリンター４では、受信した決済情報から買い物カゴによる割引６１７を示す文字や「−」などの情報（特定情報）や、加算したポイント６１８を示す文字や「＋」などの情報（特定情報）を抽出したら、ラベル６１０またはラベル７１０を発行するものと判断する。決済した時刻を加えてもよい。
【００５６】
または、コンピューター１０１が決済情報の後に、買い物カゴによる割引６１７、小計６１６から割引６１７を引いた合計６１５、加算したポイント６１８を送った場合、プリンター４は決済情報とは別に受信したこれらの情報の少なくとも一部をラベル７１０に印刷して発行してもよい。ラベル６１０とラベル７１０のいずれかを発行するかは、プリンター４のディップスイッチやコンピューター１０１からのコマンドで設定することもできる。
【００５７】
（特定商品購入時に発行するレシートとラベルについて）
次いで、顧客がレジ袋に入らない商品を購入した場合、すなわち、特定商品を購入した顧客に対し発行するラベル６２０、７２０について図５を参照して説明する。
【００５８】
レジ袋に入らない大きな商品は特定できるので、予めコンピューター１０１のメモリーやサーバー３の商品マスターに登録しておくことができる。コンピューター１０１では、商品に貼付されているバーコードをスキャナー１０３で読み取って、その情報をサーバー３に送り、サーバー３は備えられているデータベースである商品マスターを参照し、バーコードの情報に対応した商品名、価格、レジ袋に入らない等のサイズ情報などの商品情報を取得し、決済情報に含めて生成し、プリンター４へ送信する。
【００５９】
図５に示すように、ラベル６２０では、店舗のロゴ６０１、日付６０２、発行番号６２３、商品名６２４とそのサイズ「０１」と価格、合計６２５が受信され印刷されている。これらは、コンピューター１０１で生成してプリンター４に送信され、ラベル印刷部４２０で発行される。ラベル６２０だと詳細の情報が印刷されているので、確かに購入したことがすぐにわかる。サイズ「０１」は、レジ袋に入らないサイズを示している。しかし、他の人に知られたくない購入情報を隠したい場合などでは、ラベル７２０のようにしてもよい。また、ラベル６２０の情報をレシート情報としてレシート印刷部４１０で印刷し、レシートとして発行することもできる。
【００６０】
プリンター４は、受信した決済情報から発行番号６２３を抽出してラベル７２０として発行する。少なくとも、発行番号６２３が印刷されていれば、その発行番号で決済されたことがわかる。ラベル６２０、７２０に、発行番号のバーコードや２次元コードを印刷しておけば、返品の際、ＰＯＳ端末１のスキャナー１０３で読むことにより、コンピューター１０１のメモリーに記憶されている決済情報を容易に参照することができ、返品処理を簡単にすることができる。
【００６１】
このように、ラベル７２０に少なくとも発行番号７２３を印刷してレジ袋に入らない商品に貼ると、決済されたことがわかる。プリンター４では、受信した決済情報からレジ袋に入らないサイズを示す文字「０１」（特定情報）を抽出したら、ラベル６２０またはラベル７２０を発行するものと判断する。プリンター４のメモリー４３１に、商品名や商品コードとそのサイズ情報を関連付けて記憶しておき、決済情報に含まれる商品名からレジ袋に入らないサイズであることを検出して、ラベル６２０またはラベル７２０を発行するものと判断してもよい。
【００６２】
または、コンピューター１０１が決済情報の後に、レジ袋に入らないサイズを示す文字「０１」を送った場合、プリンター４は決済情報とは別に受信したこの情報や決済情報の少なくとも一部をラベル７２０に印刷して発行してもよい。ラベル６２０とラベル７２０のいずれかを発行するかは、プリンター４のディップスイッチやコンピューター１０１からのコマンドで設定することもできる。
【００６３】
上述の説明では、ＰＯＳ端末１の例で説明したが、セルフレジ２においても同様のことが可能である。この場合、オペレーターが介在しないので、発行した各ラベルは顧客が貼ることになる。ラベル印刷部４２０の排出口４２３にラベル検出器を設置して、発行した感熱ラベル４２６が取り出されたか否かを検出し、発行後、所定時間内に感熱ラベル４２６が取り出されないとき、プリンター４は顧客が貼り付けをしなかったと判断し、備えているブザーやディスプレイ等により警告をするようにしてもよい。
【００６４】
（制御装置の処理手順について）
ここで、制御装置であるＰＯＳ端末１のコンピューター１０１、またはセルフレジ２のコンピューター２０１の処理手順について、図６を参照して説明する。図６は、制御装置の処理手順を表すフローチャートである。なお、コンピューター１０１およびコンピューター２０１は、いずれも同様な処理となるので、ここでは、ＰＯＳ端末１のコンピューター１０１を代表例として説明をする。
【００６５】
図６に示すように、処理をスタートすると（Ｓ１００）、オペレーターは顧客の買い物カゴに入っている商品を取り出し、貼付されているバーコードをスキャナー１０３で読み取って入力する（Ｓ１０１）。コンピューター１０１は、バーコードの情報をサーバー３に送り、サーバー３は備えられているデータベースである商品マスターを参照し、バーコードの情報に対応した商品名、価格（値段）などの商品情報を返す（Ｓ１０２）。コンピューター１０１はメモリーにこれらの情報を記憶する。
【００６６】
このようにして、全ての商品のバーコードのスキャンが終了したか判断し（Ｓ１０３）、終了するまで繰り返す（Ｓ１０３：ＮＯ）。全ての商品のバーコードのスキャンが終了したかは、オペレーターがコンピューター１０１のキーボードの合計の計算指示を示すキーや入力終了を示すキーを押すことにより判断することができる。
【００６７】
全ての商品のバーコードのスキャンが終了した場合（Ｓ１０３：ＹＥＳ）、コンピューター１０１はメモリーから全ての商品情報を読み出して合計の金額等を計算し決済情報を生成する（Ｓ１０４）。合計の金額により請求額を提示された顧客は、携帯型情報媒体９をコンピューター１０１に接続されている読取装置１０４に置く。読取装置１０４は、携帯型情報媒体９のＩＤ等を取得できると読み取り可能と判断でき、電子決済処理の認証へ処理を進める。
【００６８】
コンピューター１０１は、サーバー３が備える信用照会情報のデータベースに問い合わせを行う。携帯型情報媒体９の認証を行うことができた場合、電子決済可能と判断できる（Ｓ１０５：電子決済）。認証できた場合、コンピューター１０１は携帯型情報媒体９に決済情報を送信し、携帯型情報媒体９から支払い了承の旨の情報を受信し、電子決済が終了する。その後、プリンター４へ送信するため、認証情報を生成し（Ｓ１１１）、決済情報に追加する（Ｓ１１２）。
【００６９】
バーコードのスキャンが終了した後、所定時間内、読取装置１０４が携帯型情報媒体９のＩＤを取得できなかった場合、現金決済だと判断する（Ｓ１０５：現金決済）。顧客が現金で支払った場合、オペレーターはコンピューター１０１のキーボードから預り金を入力する。コンピューター１０１は、お釣りを計算し、預り金、お釣りを決済情報に追加する。金銭の授受をするため、オペレーターはキーボードのドロワー用のキーを押し、コンピューター１０１はドロワー用のコマンドを生成する（Ｓ１０６）。
【００７０】
これらの情報を加えた決済情報を店舗のロゴ情報と共にプリンター４に送信する（Ｓ１０７）。プリンター４は決済情報やロゴ情報を受信してレシート印刷部４１０からレシートとして発行する。また、現金決済であった場合は（Ｓ１０８：現金決済）、コンピューター１０１はドロワー用のコマンドをプリンター４に送信する（Ｓ１０９）。プリンター４は、ドロワー用のコマンドを受信すると、ドロワー１０２を駆動する信号を発生し、接続されているドロワー１０２は金銭が入っている箱を押し出して開く。オペレーターは、ドロワー１０２により金銭の授受を行い、箱を閉め、レシートとお釣りを顧客へ渡して、処理が終了となる（Ｓ１１０）。
【００７１】
上述の説明では、ＰＯＳ端末１の例で説明したが、セルフレジ２においても同様のことが可能である。また、決済情報の送信の後、認証情報を別途送信してもよい。
【００７２】
（ラベル発行時の印刷装置の動作について）
ここで、ラベルを発行するときの印刷装置の動作について、図７〜図９を参照して説明する。図７は、電子決済時の印刷装置のフローチャートであり、図８は、買い物カゴ持参時の印刷装置のフローチャートである。図９は、特定商品購入時の印刷装置のフローチャートである。
【００７３】
（電子決済時のラベル発行について）
図７に示すように、図３に示す電子決済時のラベルを発行する場合は、コンピューター１０１からプリンター４に図６に示す決済情報が送信された状態からスタートする（Ｓ３００）。
【００７４】
プリンター４は、決済情報を受信し（Ｓ３０１）、電子決済の場合は、決済情報に含まれている認証情報も受信されることになる（Ｓ３０２）。プリンター４のＣＰＵ４３０は、決済情報に認証情報も含まれているか判断する（Ｓ３０３）。決済情報に携帯型情報媒体９のＩＤ６０６を示す情報である「＊＊」等の認証情報が含まれていると判断した場合（Ｓ３０３：ＹＥＳ）、図３のようなラベル６００またはラベル７００を印刷する（Ｓ３０７）。
【００７５】
電子決済の場合は、携帯型情報媒体９に決済情報が送信されるので、レシートは印刷しない。決済情報と認証情報が別々で送信される場合も想定し、決済情報に認証情報が含まれていなかった場合でも（Ｓ３０３：ＮＯ）、さらに認証情報を受信したかを判断し（Ｓ３０４）、認証情報が含まれていると判断した場合（Ｓ３０４：ＹＥＳ）、ラベル６００またはラベル７００を印刷する（Ｓ３０７）。また、決済情報の送信の後、認証情報を別途受信した場合、認証情報を抽出する必要がない。ラベル７００に印刷すればよい。
【００７６】
認証情報が受信されなかった場合（Ｓ３０４：ＮＯ）、現金決済と判断し、決済情報をレシート印刷部４１０で印刷しレシートとして発行する（Ｓ３０５）。ラベル６００、７００または、レシートを印刷して処理を終了する（Ｓ３０６）。
【００７７】
決済情報に認証情報も含まれているかの判断（Ｓ３０３）や認証情報を受信したかの判断（Ｓ３０４）の代わりに、コンピューター１０１からドロワー用のコマンドを受信したかで判断してもよい。ドロワー用のコマンドを受信した場合は、現金決済だと判断できるのでレシートを印刷し、ドロワー用のコマンドを受信しなかった場合は、電子決済だと判断できるのでラベル６００、７００を印刷するとすることもできる。
【００７８】
（買い物カゴ持参時のラベル発行について）
図８に示すように、図４に示す買い物カゴ持参時のラベルを発行する場合は、コンピューター１０１からプリンター４に図６に示す決済情報が送信された状態からスタートする（Ｓ４００）。
【００７９】
プリンター４は、決済情報を受信し（Ｓ４０１）、ＣＰＵ４３０は、受信した決済情報に、買い物カゴによる割引６１７を示す文字や「−（マイナス）」などの引き算を示す情報や、加算したポイント６１８を示す文字や「＋（プラス）」などの加算を示す情報など、レジ袋を不要とした場合に付加される情報であるレジ袋不要情報が含まれているかを判断する（Ｓ４０３）。レジ袋不要情報が含まれていると判断した場合（Ｓ４０３：ＹＥＳ）、ラベル６１０またはラベル７１０を発行する（Ｓ４０７）。
【００８０】
決済情報にレジ袋不要情報が含まれていない場合（Ｓ４０３：ＮＯ）、レジ袋を使用すると判断できるので、ラベル印刷をしない。また、決済情報の送信の後、レジ袋不要情報を別途受信した場合、抽出する必要がない。その後、決済情報をレシート印刷部４１０で印刷しレシートとして発行し（Ｓ４０５）、終了する（Ｓ４０６）。
【００８１】
（特定商品購入時の印刷装置のラベル発行について）
図９に示すように、図５に示すレジ袋に入らない商品用、すなわち特定商品のラベルを発行する場合は、コンピューター１０１からプリンター４に図６に示す決済情報が送信された状態からスタートする（Ｓ５００）。
【００８２】
プリンター４は、決済情報を受信し（Ｓ５０１）、ＣＰＵ４３０は、受信した決済情報に、レジ袋に入らないサイズを示す文字などの特定商品情報が含まれているかを判断する（Ｓ５０３）。特定商品情報が含まれていると判断した場合（Ｓ５０３：ＹＥＳ）、ラベル６２０またはラベル７２０を発行する（Ｓ５０７）。
【００８３】
決済情報に特定商品情報が含まれていない場合（Ｓ５０３：ＮＯ）、レジ袋に商品が入りレジ袋を使用すると判断できるので、ラベル印刷をしない。また、決済情報の送信の後、特定商品情報を別途受信した場合、抽出する必要がない。その後、決済情報をレシート印刷部４１０で印刷しレシートとして発行し（Ｓ５０５）、終了する（Ｓ５０６）。また、チケットなど、レジ袋でなく封筒を使用する場合も、特定商品情報として登録しておけば、同様のことができる。
図７、図８、図９のフローチャートは、ＰＯＳ端末１の例で説明したが、セルフレジ２の場合も同様である。
【００８４】
以下、本実施形態の効果を記載する。
レシートを発行しない電子決済をする場合、プリンター４は、受信した決済情報から携帯型情報媒体９のＩＤ６０６を抽出して、図３のようなラベル６００、７００を発行する。これらのラベルを顧客がレジ袋や購入した商品に貼っておけば、レシートを所持しなくても確かに購入したものであることが見てすぐわかる。
【００８５】
プリンター４は、受信した決済情報から買い物カゴ持参に関する情報であり、すなわちレジ袋不要であることを示す情報を決済情報から抽出して、図４のようなラベル６１０、７１０を発行する。これらのラベルを顧客が持参した買い物カゴや購入した商品に貼っておけば、レジ袋に入っていない商品であっても確かに購入したものであることが見てすぐわかる。
【００８６】
プリンター４は、受信した決済情報から商品がレジ袋に入らないサイズを示す文字等の情報を決済情報から抽出して、図５のようなラベル６２０、７２０を発行する。これらのラベルを顧客が購入したレジ袋に入らない商品に貼っておけば、レジ袋に入っていない商品であっても確かに購入したものであることが見てすぐわかる。
また、オペレーターや顧客は特別な処理をする必要がないので、ミスが発生せず、また手間も掛からず、発行されたラベルを貼るだけでよい。
【符号の説明】
【００８７】
１…ＰＯＳ端末（制御装置）、２…セルフレジ（制御装置）、３…サーバー、４…プリンター（印刷装置）、９…携帯型情報媒体、４１０…レシート印刷部（第１印刷部）、４２０…ラベル印刷部（第２印刷部）、ＣＰＵ４３０（制御部）。
【図１】
2013127691.tif 000003
【図２】
2013127691.tif 000004
【図３】
2013127691.tif 000005
【図４】
2013127691.tif 000006
【図５】
2013127691.tif 000007
【図６】
2013127691.tif 000008
【図７】
2013127691.tif 000009
【図８】
2013127691.tif 000010
【図９】
2013127691.tif 000011